(57)【要約】      （修正有）【課題】綱引きはロープにおいて引き合う以外に、押し合う競技を加味し、この両者を実現する運動用具を提供する。【解決手段】円形のロープ１を用いて、円形ロープの中心線を基準線９として、これを競技の開始時点の位置として、基準線により領域を２分し、ロープもその領域に対応してそれぞれ色違いにしてロープを区別し、基準線を挟んでロープには競技者がつかみ、基準線に平行にして、かつ競技者の外側であってそれぞれの領域に勝敗ライン５を引き、引っ張り合う場合には味方の競技者のいる領域の勝敗ライン迄引っ張って勝ちを決め、押し合う場合には相手の勝敗ラインまで押し込めば勝ちとすることを特徴とする運動用具である。【選択図】図１
0003196734.tif 000002
【実用新案登録請求の範囲】
【請求項１】
円形のロープを用いて、該円形ロープの中心線を基準線として、これを競技の開始時点の位置として、該基準線により領域を２分し、該ロープもその領域に対応してそれぞれ色違いにしてロープを区別し、該基準線を挟んでロープには競技者がつかみ、該基準線に平行にして、かつ競技者の外側であってそれぞれの該領域に勝敗ラインを引き、引っ張り合う場合には味方の競技者のいる領域の勝敗ライン迄引っ張って勝ちを決め、押し合う場合には相手の勝敗ラインまで押し込めば勝ちとすることを特徴とする運動用具。
【請求項２】
円形のロープを用いて、該円形ロープの中心線を基準線として、これを競技の開始時点の位置として、該基準線により領域を２分し、該ロープもその領域に対応してそれぞれ色違いにして区別し、該基準線を挟んでロープには競技者がつかみ、円形ロープの同心円にして、かつ競技者の外側であってそれぞれの該領域に勝敗ラインを引き、引っ張り合う場合には味方の競技者のいる領域の勝敗ライン迄引っ張って勝ちを決め、押し合う場合には相手の勝敗ラインまで押し込めば勝ちとすることを特徴とする運動用具。
【請求項３】
前記円形ロープの継ぎ目部が一か所である事を特徴とする請求項１又は２に記載の運動用具。
【請求項４】
前記円形ロープの継ぎ目部が多段部である事を特徴とする請求項１又は２に記載の運動用具。
【請求項５】
前記継ぎ目部の両端ともループ状でさつま加工され、該ループが嵌めあうよう連結されていることを特徴とする請求項３又は４に記載の運動用具。
【請求項６】
前記円形ロープを一体型で可撓性ある合成樹脂にしたことを特徴とする請求項１又は２に記載の運動用具。
【請求項７】
円形のロープを用いて、該円形ロープの中心線を基準線として、これを競技の開始時点の位置として、該基準線と該基準線と直交する中心線で領域を４分し、該ロープもその領域に対応してそれぞれ色違いにして区別し、該４分割されたロープには４チームの競技者がつかみ、円形ロープの同心円にして、かつ競技者の外側であってそれぞれの該領域に勝敗ラインを引き、味方の競技者のいる領域の勝敗ライン迄引っ張って勝ちとすることを特徴とする運動用具。
【考案の詳細な説明】
【技術分野】
【０００１】      本考案は多人数で綱引き、又は押し合った結果、勝敗を判定する運動用具に関するものである。
【背景技術】
【０００２】  従来、綱引きと言えば一本のロープを双方に分かれて引き合うものである。これには広いグラウンド等を要するため、この改善するものとして少人数で引き合うようなものが考案されている。
【先行技術文献】
【特許文献】
【０００３】
【特許文献１】実用新案登録第３１５８４１５号
【特許文献２】実用新案公開昭６１−７１１７５号公報
【特許文献３】実用新案公開平５−６３５７８号公報
【特許文献４】実用新案公開平６−７４１７６号公報
【特許文献５】米国特許和文抄録文献番号５，７６９，４２６
【考案の概要】
【考案が解決しようとする課題】
【０００４】  これら先行技術文献にはいずれもロープを引き合うものが開示されているが、この引き合う以外に、押し合う競技を加味したものはない。この両者実現のため以下の運動用具を用いる。
【課題を解決するための手段】
【０００５】  円形のロープを用いて、該円形ロープの中心線を基準線として、これを競技の開始時点の位置として、該基準線により領域を２分し、該ロープもその領域に対応してそれぞれ色違いにしてロープを区別し、該基準線を挟んでロープには競技者がつかみ、該基準線に平行にして、かつ競技者の外側であってそれぞれの該領域に勝敗ラインを引き、引っ張り合う場合には味方の競技者のいる領域の勝敗ライン迄引っ張って勝ちを決め、押し合う場合には相手の勝敗ラインまで押し込めば勝ちとすることを特徴とする運動用具である。【０００６】  又、円形のロープを用いて、該円形ロープの中心線を基準線として、これを競技の開始時点の位置として、該基準線により領域を２分し、該ロープもその領域に対応してそれぞれ色違いにして区別し、該基準線を挟んでロープには競技者がつかみ、円形ロープの同心円にして、かつ競技者の外側であってそれぞれの該領域に勝敗ラインを引き、引っ張り合う場合には味方の競技者のいる領域の勝敗ライン迄引っ張って勝ちを決め、押し合う場合には相手の勝敗ラインまで押し込めば勝ちとすることを特徴とする運動用具である。【０００７】  上記運動用具の円形ロープの継ぎ目部が一か所、又は多段部である事を特徴とし、この継ぎ目部の両端ともループ状でさつま加工され、このループが嵌めあうよう連結されている運動用具でもある。【０００８】  更に、円形ロープを一体型で可撓性ある合成樹脂にしたことも特徴とする運動用具も提供する。【０００９】  円形のロープを用いて、該円形ロープの中心線を基準線として、これを競技の開始時点の位置として、該基準線と該基準線と直交する中心線で領域を４分し、該ロープもその領域に対応してそれぞれ色違いにして区別し、該４分割されたロープには４チームの競技者がつかみ、円形ロープの同心円にして、かつ競技者の外側であってそれぞれの該領域に勝敗ラインを引き、味方の競技者のいる領域の勝敗ライン迄引っ張って勝ちとすることを特徴とする運動用具でもある。
【考案の効果】
【００１０】  上記の運動用具を使えば、従来の引っ張りあうだけではなく、このロープをつかんだ状態で無秩序に押し合うのではなく、掴んでいるがゆえにある一定の範囲で集合ができ団子のように押し合い、又は、団子を解消して離れたとしてもそのロープを離さない限り又集合もでき、このような集合離散できる運動をこの運動用具で提供する事ができる。尚、手を離した方にペナルティーを与えた競技もできる。
【図面の簡単な説明】
【００１１】
【図１】継ぎ目１か所ある綱引きロープを使った運動具の実施方法
【図２】継ぎ目２か所ある綱引きロープを使った運動具
【図３】継ぎ目４か所ある綱引きロープを使った運動具
【図４】一体成型した可撓性ある円形合成樹脂を使った運動具
【図５】継ぎ目部詳細
【考案を実施するための形態】
【００１２】  円形のロープ１を用いて、該円形ロープ１の中心線を基準線９として、これを競技の開始時点の位置として、該基準線９により領域を２分し、ロープ１もその領域に対応してそれぞれ色違い３，４にしてロープを区別し、該基準線９を挟んでロープ１には競技者６がつかみ、該基準線９に平行にして、かつ競技者６の外側であってそれぞれの該領域に勝敗ライン５を引き、引っ張り合う場合には味方の競技者のいる領域の勝敗ライン５迄引っ張って勝ちを決め、押し合う場合には相手の勝敗ライン５まで押し込めば勝ちとすることを特徴とする運動用具である。
【００１３】  尚、勝敗ライン５は上記では基準線に平行に引いたが、円形ロープの同心円として引いてもよい（図は省略）。
【００１４】  基準線９と基準線９に直交する中心線で領域を４分し、円形ロープ１もその領域に対応してそれぞれ色違いにして区別し、この４分割されたロープには４チームの競技者がつかみ、円形ロープの同心円にして、かつ競技者の外側であってそれぞれの該領域に勝敗ラインを引き、味方の競技者のいる領域の勝敗ライン迄引っ張って勝ちとする競技にも適用できる運動用具でもある。（図は省略）
【実施例１】
【００１５】  図１に示すように、この円形ロープ１は継ぎ目が１か所で構成され構造はさつま加工した継手８で嵌め合うように結合した部分２で構成されている。その詳細は図５に示す。
【実施例２】
【００１６】  図２に示すように、この円形ロープ１は継ぎ目が２か所で構成されこのロープ１のつなぎ方は実施例１に記載した通りである。
【実施例３】
【００１７】  図３に示すように、この円形ロープ１は継ぎ目を多段（本図は４か所）で構成され、このロープ１のつなぎ方は実施例１に記載した通りである。
【実施例４】
【００１８】  図４に示すように、この円形ロープの代替として一体成型した可撓性ある円形合成樹脂を使用した場合を示す。
【産業上の利用可能性】
【００１９】  競技前にあらかじめ開始の合図から競技終了までの時間を定めて勝負をする。この時間内に勝負がつかない場合は勝敗ライン迄の距離により判定する。引っ張り合う場合には味方の勝敗ラインまでの距離が短い方が勝ち、押し合う場合には相手の勝敗ラインまでの距離が短い方が勝つ、この競技に円形綱引き用具として使用できる。又、競技者がこの円形ロープの内側に入り、味方と敵方が後ろ向きで押し合う、つまりおしくらまんじゅうのような競技にも使用できる。
【符号の説明】
【００２０】１  ロープ
２  さつま加工した継手で嵌め合うように結合した部分
３  ４の範囲と異なる色彩にしたロープ
４  ３の範囲と異なる色彩にしたロープ
５  勝敗ライン
６  競技者
７  一体成型した可撓性ある円形合成樹脂
８  さつま加工した継手
９  基準線
【図１】
0003196734.tif 000003
【図２】
0003196734.tif 000004
【図３】
0003196734.tif 000005
【図４】
0003196734.tif 000006
【図５】
0003196734.tif 000007